(57)【特許請求の範囲】
【請求項１】
上下少なくとも一方の縁部において引戸ガイドによりその移動がガイドされ、かつ移動阻止部によりその移動限度が規定される引戸に設けられる引戸ストッパ機構であって、
前記引戸の厚さ方向に弾性的に変異することが許容された弾性変位部と、
前記引戸が前記移動阻止部に向けて移動する際に、前記弾性変位部に対し側方から当接し、該弾性変位部を前記引戸の厚さ方向に弾性的に変位させつつこれを乗り越えて相対移動するカム部とを備え、
前記弾性変位部は引戸ガイドもしくは前記引戸の被ガイド部のいずれか一方に固定するベース部材の固定部の縁部側から立ち上がる部材支持部の内面側に取り付けられており、
前記カム部は引戸ガイドもしくは前記引戸の被ガイド部の他方のものに固定する取付ベースに前記弾性変位部側へ突出して設けられ、かつ、引戸の移動方向における突出したカム部の両側部には斜面が形成されており、
前記カム部の斜面は引戸の移動時に片側の傾斜の緩い斜面と前記弾性変位部とが当接し、引戸の跳ね返り時に他側の傾斜の強い斜面と前記弾性変位部とが当接し、
前記弾性変位部は、前記引戸の前記移動阻止部側への移動時において前記カム部が該弾性変位部を乗り越える際には、前記カム部との当接に伴い弾性的に変位して、その弾性復帰力により前記引戸の移動にブレーキをかける一方、前記カム部が該弾性変位部を相対的に乗り越えて、その後前記引戸が前記移動阻止部に当たってはねかえろうとした際には、該カム部と当接してその引戸のはねかえり移動を阻止することを特徴とする引戸ストッパ機構。
【請求項２】
前記引戸ガイドは前記引戸の上縁部をガイドするガイド溝を備え、
前記弾性変位部及びカム部の一方のものは、引戸上面の前記移動阻止部に近い側の端部においてその引戸の一方の戸面側に寄せて配置され、他方のものは前記ガイド溝の底部に対し前記引戸の他方の戸面側に寄せて配置されている請求項１記載の引戸ストッパ機構。
【請求項３】
前記弾性変位部は、前記引戸側もしくは引戸ガイド側に形成された固定部にその一端が結合され、他端側が前記引戸の移動方向に延びるとともに、その長手方向中間部において前記カム部側へ突出するように板厚方向に曲げて形成された帯状の弾性板材を含み、
前記カム部は、前記弾性板材の曲げられた外側面と当接することにより、該弾性板材の曲げ角度が広がるようにこれを弾性変形させるものとされ、その当接面は、前記引戸の移動方向における中間部を境界としてその両側部が、該境界から離れるほど前記弾性板材の外側面から離間する斜面とされている請求項１又は２記載の引戸ストッパ機構。
【請求項４】
前記引戸の上縁部には、少なくとも該引戸の上面側、一方の戸面側及び前記移動阻止部に対応する幅方向端面側に開放する切欠部が形成され、
その切欠部には、該切欠部の底部に固着される固定部と、該切欠部の前記戸面側の開放部を塞ぐようにその固定部と一体的に形成された板状の部材支持部とを有するベース部材が配置され、
前記弾性変位部又はカム部の一方が、前記部材支持部の前記戸面と対応しない側の板面に配置され、他方のものが前記ガイド溝の内側面に配置されている請求項２又は３に記載の引戸ストッパ機構。
【請求項５】
前記部材支持部は、前記戸面に対応する板面側が該戸面からわずかに突出するように配置され、該板面が前記ガイド溝の内側面と優先的に接触することにより、前記戸面の前記ガイド溝との摩擦に伴う摩耗を低減するようになっている請求項４記載の引戸ストッパ機構。
【発明の詳細な説明】
【０００１】
【発明の属する技術分野】
本発明は、上下少なくとも一方の縁部において引戸ガイドによりその移動がガイドされ、かつ移動阻止部によりその移動限度が規定される引戸に設けられる引戸ストッパ機構に関する。
【０００２】
【従来の技術】
建物や部屋の出入口等に設けられる引戸を勢いよく開け放つと、引戸が反対側の枠等に当たってはねかえってくることがある。そこで、このはねかえりを防止するために、引戸を上縁部においてガイドするガイド溝の底部にストッパ対向部を設け、上記ストッパ対向部に対し下側から当接するストッパ部を引戸の上面側に設けた引戸ストッパ機構が提案されている。このようなストッパ機構が設けられていれば、引戸を開け放った際に引戸側のストッパ部がガイド溝側のストッパ対向部を乗り越えて反対側に移動し、その後引戸のはねかえりが生じようとしても、ストッパ部がストッパ対向部に当たることによりこれが阻止される。
【０００３】
【発明が解決しようとする課題】
ところで、上述のような引戸には、引戸の高さ調整機構が設けられていることがある。図８〜図１０はその一例を示しており、引戸１０１の移動を補助する補助ローラ１００がその下面側に設けられるとともに、調整ねじ１０２を操作してローラ１００の引戸１０１に対する取付位置を変更することにより、引戸１０１の高さ調整が行われる。ところが、そのような高さ調整を行った場合、上述のストッパ機構の構成ではそのはねかえり防止効果が低下してしまう問題がある。例えば引戸の高さを下げる方向に調整を行うと、上述のストッパ部とストッパ対向部との間隔が広がり、ストッパ部がストッパ対向部を乗り越えやすくなってはねかえり防止効果が損なわれる。一方、引戸の高さを上げる方向に調整を行った場合は、逆にストッパ部がストッパ対向部を乗り越えられなくなって両者の間ではねかえりが生じてしまうなどの問題を生じることがある。
【０００４】
本発明の課題は、引戸の高さ調整を行っても、はねかえり防止効果が影響を受けにくい引戸ストッパ機構を提供することにある。
【０００５】
【課題を解決するための手段及び作用・効果】
本発明は、上下少なくとも一方の縁部において引戸ガイドによりその移動がガイドされ、かつ移動阻止部によりその移動限度が規定される引戸に設けられる引戸ストッパ機構に係るものであり、上述の課題を解決するために下記のように構成されることを特徴とする。すなわち、引戸ガイドもしくは引戸の被ガイド部のいずれか一方に弾性変位部が設けられる。この弾性変位部は、引戸の厚さ方向に弾性的に変位することが許容されている。一方、引戸ガイドもしくは引戸の被ガイド部の他方のものにはカム部が設けられる。このカム部は、引戸が移動阻止部に向けて移動する際に、弾性変位部に対し側方から当接し、弾性変位部を引戸の厚さ方向に弾性的に変位させつつこれを乗り越えて相対移動するものである。そして、弾性変位部は、引戸の移動阻止部側への移動時においてカム部が弾性変位部を乗り越える際には、カム部との当接に伴い弾性的に変位して、その弾性復帰力により引戸の移動にブレーキをかける一方、カム部が弾性変位部を相対的に乗り越えて、その後引戸が移動阻止部に当たってはねかえろうとした際には、カム部と当接してそのはねかえり移動を阻止する。
【０００６】
上述のように構成された引戸ストッパ機構においては、弾性変位部のカム部を介したブレーキ作用により引戸の移動に予めブレーキがかけられるので、カム部が弾性変位部を乗り越えた後の、引戸の移動阻止部におけるはねかえり移動が効果的に防止されるとともに、カム部は弾性変位部に対して横方向から当接するので、引戸の高さ調整を行っても両者の間隔が変化せず、はねかえり防止効果が損なわれる心配がない。
【０００７】
ここで、引戸の下面側には、引戸の移動を補助するローラ（あるいはコマ）が設けられていることが多く、引戸ストッパ機構の取付スペースを確保できない場合がある。この場合、引戸ガイドとして引戸の上縁部をガイドするガイド溝を備えたものを使用し、弾性変位部及びカム部の一方のものを引戸上面の移動阻止部に近い側の端部に設け、他方のものをそのガイド溝の底部に配置するようにすれば取付スペースの確保を容易に行うことができる。ここで、カム部は弾性変位部に対し側方から当接するように構成されているので、弾性変位部及びカム部の一方のものを一方の戸面側に寄せて配置し、他方のものを引戸の他方の戸面側に寄せて配置することが望ましい。
【０００８】
次に、弾性変位部は、引戸側もしくは引戸ガイド部側に形成された固定部にその一端が結合され、他端側が引戸の移動方向に延びるとともに、その長手方向中間部においてカム部側へ突出するように板厚方向に曲げて形成された帯状の弾性板材を含むものとして構成することができる。こうすれば、弾性変位部を簡略に構成することができる。また、カム部は、上記弾性板材の曲げられた外側面と当接することにより、該弾性板材の曲げ角度が広がるようにこれを弾性変形させるものとし、その当接面を、引戸の移動方向における中間部を境界としてその両側部が、該境界から離れるほど弾性板材の外側面から離間する斜面として形成することができる。このようにすれば、カム部と弾性板材との間の相対移動はその斜面により案内されるので引っかかり等のトラブルが生じにくく、移動阻止部側へ移動した引戸を元の位置に戻す操作も行いやすい。
【０００９】
ガイド溝内を引戸が移動する構成においては、引戸の上面とガイド溝の底面との間に、ストッパ機構を設けるための隙間がほとんどない場合がある。このような場合は引戸の上縁部に、少なくともその引戸の上面側、一方の戸面側及び移動阻止部に対応する幅方向端面側に開放する切欠部を形成すれば、ストッパ機構配置のための十分なスペースを確保することができる。具体的にはその切欠部に対し、切欠部の底部に固着される固定部と、切欠部の戸面側の開放部を塞ぐようにその固定部と一体的に形成された板状の部材支持部とを有するベース部材を配置し、弾性変位部又はカム部の一方を、その部材支持部の戸面と対応しない側の板面に配置し、他方のものをガイド溝の内側面に配置することができる。ここで、部材支持部を、戸面に対応する板面側が該戸面からわずかに突出するように配置することができる。こうすれば、その板面がガイド溝の内側面と優先的に接触することにより、ガイド溝との摩擦に伴う戸面の摩耗を低減することができる。
【００１０】
【発明の実施の形態】
以下、本発明の引戸ストッパの実施の形態を、いくつかの実施例に基づいて図面により説明する。
図１に示すように、本発明の一例たる引戸ストッパ機構１は、引戸ガイド２側に設けられるカム部３、引戸４側に設けられる弾性変位部としての弾性板材５等を備えている。
【００１１】
図１１（ａ）に示すように、引戸ガイド２は引戸４の上縁部に対応して設けられており、そのガイド溝６内を引戸４が移動するようになっている。また、引戸４の下面側には、その移動を補助する補助ローラ７が取り付けられている。そして、同図（ｂ）に示すように、引戸４の移動限度は移動阻止部８（例えば引戸枠等）により規定されるようになっている。
【００１２】
次に、図４に示すように弾性板材５は、ばね鋼等により帯状に形成されており、ベース部材１１にその一端がリベット５ａにより結合されている。ベース部材１１は、板状の固定部９と、その一方の縁部側からほぼ垂直に立ち上がる板状の部材支持部１０とが、鋼板等により一体に形成されており、その部材支持部１０の内側面に弾性板材５が取り付けられている。なお、固定部９には、これを板厚方向に貫通するねじ穴９ａが形成されている。
【００１３】
図１に示すように、引戸４は、その上面側に形成された被ガイド部１２においてガイド溝６内を移動するようになっている。被ガイド部１２は、引戸４の本体４ａよりも小さい幅を有し、その一方の戸面４ｂ側に寄せて該本体４ａと一体的に形成されるとともに、引戸４の幅方向において移動阻止部８（図１１）に対応する端部に切欠部１３が形成されている。切欠部１３は、引戸４の上面側と両戸面側、及び幅方向端面４ｃ側に開放して形成されており、その底面１４に前述のベース部材１１の固定部９がねじ１５を用いて固定されている。この状態において、ベース部材１１の部材支持部１０は、切欠部１３の戸面４ｂ側の開放部を塞ぐようになっている。
【００１４】
また、弾性板材５は、その部材支持部１０に対する結合部が幅方向端面４ｃから遠い側に位置するとともに、移動阻止部８に近づく方向に延び、また、その長手方向中間部においてカム部３側へ突出するように板厚方向に曲げて形成されている。また、部材支持部１０は、図５及び図６に示すように、戸面４ｂに対応する板面１０ａ側が戸面４ｂからわずかに突出するように配置されており、板面１０ａがガイド溝６の内側面６ａと優先的に接触することにより、戸面４ｂのガイド溝６との摩擦に伴う摩耗が低減されるようになっている。
【００１５】
次に、図３に示すようにカム部３は、樹脂成形等により一体に形成されたカム本体３ａと取付ベース３ｂ及び３ｃとを有しており、図２に示すようにその取付ベース３ｂにおいてガイド溝６の底面６ｂに対しカム本体３ａが、戸面４ｂとは反対の戸面４ｄ側に位置するように固定されている。なお、図１に示すように、カム本体３ａと取付ベース３ｂとを貫通してねじ穴３ｄが形成されており、このねじ穴３ｄに挿通されるねじ１６により、カム部３がガイド溝６に取り付けられるようになっている。この取付状態においてカム本体３ａは、図７に示すように、取付ベース３ｃ側から弾性板材５側へ突出するとともにその突出側の面は、引戸４の移動方向における中間部を境界としてその両側部が、該境界から離れるほど弾性板材５の外側面から離間する斜面１７及び１８とされている。
【００１６】
以下、引戸ストッパ機構１の作用について説明する。
すなわち、図７（ａ）に示すように、引戸４を移動阻止部８に向けてやや勢いをつけて移動させると、同図（ｂ）に示すように、カム部３のカム本体３ａが弾性板材５に対し、その曲げられた外側面に対し側方から当接する。弾性板材５はカム本体３ａと当接することにより、同図（ｃ）に示すように、その突出方向につぶれるように（すなわち、その曲げ角度φを広げるように）弾性変形するとともに、その弾性復帰力によりカム部３を介して引戸４の移動にブレーキをかける。なお、図５等に示すように、弾性板材５の先端には、弾性変形時に固定部９に対する食込みないし引っ掛かりを防止するための返り部５ｂが形成されている。そして、引戸４の移動の進行に伴い弾性板材５は自ら弾性変形しながらカム部３を乗り越えてさらに移動阻止部８側へ向けて移動し、引戸４は移動阻止部８に当たってはねかえろうとするが、同図（ｄ）に示すように、カム本体３ａの斜面１８側が弾性板材５と当接するので、そのはねかえり移動が阻止されることとなる。なお、引戸４が移動阻止部８に当たった状態では、カム本体３ａが弾性板材５の中間に当接して係合状態を作るようになっている。一方、引戸４を引き戻すことにより、弾性板材５がカム本体３ａを上記とは逆方向に乗り越えて前述の係合状態が解除され、引戸４を移動阻止部８から離間させることができる。
【００１７】
ここで、図７（ａ）に示すように、カム本体３ａの両斜面１７及び１８が取付けベース３ｃの板面（すなわち戸面４ｄ）とそれぞれなす角度θ1及びθ2は、θ1＜θ2となるように設定することができる。この場合、引戸４の移動が傾斜の緩い斜面１７により徐々に減速されるので、弾性板材５がカム本体３ａを乗り越えた後の引戸４の移動阻止部８に対する当りが和らげられ、強いはねかえりが生ずることが防止される。そして、仮に引戸４にはねかえりが生じようとしても、傾斜の強い斜面１８によりこれが強力に防止される。ここで、斜面１７における減速効果が十分で、それほど強いはねかえり移動が生ずる恐れのない場合には、θ1＝θ2あるいはθ1＞θ2とすることも可能である。
【００１８】
一方、図８は補助ローラ７の引戸４に対する取付構造を示しており、補助ローラ７の回転軸７ａを回転可能に支持する支持板２０が、取付けねじ１９により引戸４の下面に取り付けられている。そして、図９に示すように、その取付けねじ１９のねじ込み量を変化させることにより、引戸４の下面と支持板２０との間の空隙ｇの大きさ、すなわち補助ローラ７の取付位置が変化し、図１０に示すように引戸４の高さ方向の位置が調整される。そして、図１２に示すように、カム部３（カム本体３ａ）は弾性板材５に対して横方向から当接するので、上述のように引戸４の高さ調整を行った場合、引戸４の厚さ方向における両者の間隔は変化しないので、はねかえり防止効果が損なわれる心配がない。
【００１９】
なお、弾性板材５とカム部３とは、引戸ガイド２と引戸４との間でその配置関係を入れ替えてもよい。また、引戸ストッパ機構１は、取付スペースが確保できる場合には引戸４の下面側に設けることも不可能ではない。さらに、弾性変位部は、図１３に示すように、ケース２０に対し変位部材２２を開口部２１において出入り可能に配置し、その変位部材２２とケース２０の内面との間にばね２３を配置して、カム部３との当接により変位部材２２をばね２３の弾性力に抗して変位させる構成としてもよい。
【図面の簡単な説明】
【図１】本発明の引戸ストッパ機構の一例を、その取付方法とともに示す分解斜視図。
【図２】カム部のガイド溝に対する取付状態を示す斜視図。
【図３】カム部の斜視図。
【図４】弾性板材及びベース部材の斜視図。
【図５】弾性板材を引戸に対して取り付けた状態を示す平面図。
【図６】図５の側面図。
【図７】引戸のはねかえり防止に係る図１の引戸ストッパ機構の作用説明図。
【図８】引戸に対する補助ローラの取付構造を示す正面断面図。
【図９】その高さ調整機構の作用説明図。
【図１０】高さ調整に伴う引戸の位置変化を説明する図。
【図１１】引戸の斜視図及びその作用説明図。
【図１２】引戸の高さ調整に係るストッパ機構の作用説明図。
【図１３】弾性変位部の変形例を示す平面断面図。
【符号の説明】
１  引戸ストッパ機構
２  引戸ガイド
３  カム部
４  引戸
４ｂ、４ｄ  戸面
４ｃ  幅方向端面
５  弾性板材（弾性変位部）
６  ガイド溝
８  移動阻止部
９  固定部
１０  部材支持部
１１  ベース部材
１２  被ガイド部
１３  切欠部
１７、１８  斜面
２２  変位部材（弾性変位部）
【図１】
0003650660.tif 000002
【図２】
0003650660.tif 000003
【図３】
0003650660.tif 000004
【図４】
0003650660.tif 000005
【図５】
0003650660.tif 000006
【図６】
0003650660.tif 000007
【図７】
0003650660.tif 000008
【図８】
0003650660.tif 000009
【図９】
0003650660.tif 000010
【図１０】
0003650660.tif 000011
【図１１】
0003650660.tif 000012
【図１２】
0003650660.tif 000013
【図１３】
0003650660.tif 000014